(57)【特許請求の範囲】
【請求項１】
撮像機能を有する情報処理装置において、
ユーザの操作に基づいて情報を入力する入力部と、
前記入力部による操作に基づいて、エリア、サマータイムに関する情報、年、月、日、時間、および分からなる日時情報を設定する日時合わせ手段と、
前記日時合わせ手段により設定された日時情報に基づいて、前記世界標準時刻を算出する世界標準時刻算出手段と、
情報を表示する表示手段と、
ネットワークを介して外部機器とデータを授受する通信手段と、
前記通信手段を介して前記外部機器にアクセスする際、前記日時情報が設定されているか否かを判定する判定手段と、
前記判定手段の判定結果に基づいて、前記日時情報が設定されている場合、前記世界標準時刻算出手段により算出された前記世界標準時刻の情報を前記外部機器に対して送信するように前記通信手段を制御し、前記日時情報が設定されていない場合、前記外部機器へのアクセス処理において、前記日時情報の設定を促す情報を表示させるように前記表示手段を制御する制御手段と
を備える情報処理装置。
【請求項２】
複数の前記エリアを予め記憶するエリア記憶手段をさらに備え、
前記日時合わせ手段は、前記エリア記憶手段により予め記憶されたエリアのうち、前記入力部により入力されたエリアを設定する
請求項１に記載の情報処理装置。
【請求項３】
前記エリア記憶手段は、複数の前記エリア毎の前記世界標準時刻に対する時差の情報をさらに記憶し、
前記世界標準時刻算出手段は、前記日時合わせ手段により設定された時刻、および、予め記憶されたエリアのうち、前記入力部により入力され、設定されたサマータイムに関する情報により、前記世界標準時刻を算出する
請求項２に記載の情報処理装置。
【請求項４】
前記入力部は、回転押圧操作素子により構成される
請求項１に記載の情報処理装置。
【請求項５】
撮像機能およびユーザの操作に基づいて情報を入力する入力部を有する情報処理装置の情報処理方法において、
前記入力部による操作に基づいて、エリア、サマータイムに関する情報、年、月、日、時間、および分からなる日時情報を設定する日時合わせステップと、
前記日時合わせステップの処理で設定された日時情報により、前記世界標準時刻を算出する世界標準時刻算出ステップと、
前記情報を表示する表示ステップと、
ネットワークを介して外部機器とデータを授受する通信ステップと、
前記通信ステップの処理により前記外部機器にアクセスする際、前記日時情報が設定されているか否かを判定する判定ステップと、
前記判定ステップの処理での判定結果に基づいて、前記日時情報が設定されている場合、前記世界標準時刻算出ステップの処理により算出された前記世界標準時刻の情報を前記外部機器に対して送信するように前記通信ステップの処理を制御し、前記日時情報が設定されていない場合、前記外部機器へのアクセス処理において、前記日時情報の設定を促す情報を表示させるように前記表示ステップの処理を制御する制御ステップと
を含む情報処理方法。
【請求項６】
撮像機能を有する情報処理装置であって、
ユーザの操作に基づいて情報を入力する入力部と、
前記入力部による操作に基づいて、エリア、サマータイムに関する情報、年、月、日、時間、および分からなる日時情報を設定する日時合わせ手段と、
前記日時合わせ手段により設定された日時情報に基づいて、前記世界標準時刻を算出する世界標準時刻算出手段と、
情報を表示する表示手段と、
ネットワークを介して外部機器とデータを授受する通信手段と、
前記通信手段を介して前記外部機器にアクセスする際、前記日時情報が設定されているか否かを判定する判定手段と、
前記判定手段の判定結果に基づいて、前記日時情報が設定されている場合、前記世界標準時刻算出手段により算出された前記世界標準時刻の情報を前記外部機器に対して送信するように前記通信手段を制御し、前記日時情報が設定されていない場合、前記外部機器へのアクセス処理において、前記日時情報の設定を促す情報を表示させるように前記表示手段を制御する制御手段と
を備える情報処理装置を制御するプログラムであって、
前記入力部による操作に基づいて、エリア、サマータイムに関する情報、年、月、日、時間、および分からなる日時情報を設定する日時合わせ手段の日時合わせ制御ステップと、
前記日時合わせ制御ステップの処理で設定された日時情報により、前記世界標準時刻の算出を制御する前記世界標準時刻算出手段の世界標準時刻算出制御ステップと、
前記情報の表示を制御する前記表示手段の表示制御ステップと、
前記ネットワークを介して前記外部機器とデータの授受を制御する前記通信手段の通信制御ステップと、
前記通信制御ステップの処理により前記外部機器にアクセスする際、前記日時情報が設定されているか否かの判定を制御する前記判定手段の判定制御ステップと、
前記判定制御ステップの処理での判定結果に基づいて、前記日時情報が設定されている場合、前記世界標準時刻算出制御ステップの処理により算出された前記世界標準時刻の情報を前記外部機器に対して送信するように前記通信制御ステップの処理を制御し、前記日時情報が設定されていない場合、前記外部機器へのアクセス処理において、前記日時情報の設定を促す情報を表示させるように前記表示制御ステップの処理を制御する前記制御手段の動作制御ステップと
を含む処理をコンピュータに実行させるプログラム。
【発明の詳細な説明】
【０００１】
【発明の属する技術分野】
本発明は、情報処理装置および方法、並びにプログラムに関し、特に、ビデオカメラなどの撮像機能を備えた情報処理装置に設定された時刻の情報に加えて、地域情報とサマータイム情報に基づいて世界標準時刻（GMT：Greenwich Mean Time＝グリニッジ標準時刻）を求めることができるようにした情報処理装置および方法、並びにプログラムに関する。
【０００２】
【従来の技術】
ビデオカメラに代表される撮像機能を有する電子機器では、時刻を設定する機能が設けられている。
【０００３】
ビデオカメラでは、この時刻設定機能により設定された時刻を単に時計として表示させるだけではなく、撮像された画像と共に記録することにより、撮像された画像の管理を容易なものとしたり、或いは、タイマ機能などのために使用してきた。
【０００４】
【発明が解決しようとする課題】
ところで、最近の携帯用の電子機器は、通信機能が内蔵されたものや、携帯電話などの通信装置を接続するなどして、ネットワークを介してサーバにアクセスさせることが可能となってきている。通常、ネットワークを介してサーバにアクセスする機器は、アクセス時に、ユーザのログイン名とパスワードの情報を送信すると共に、送信時の世界標準時刻（＝グリニッジ標準時刻：GMT）の情報を送信する。これらの情報に基づいて、サーバは、アクセス時刻の管理と認証処理を実行して、アクセスの可否を判定している。
【０００５】
しかしながら、従来のビデオカメラに内蔵される時刻設定機能では、世界標準時刻を求める、或いは、設定する機能は備わっていなかった。このため、例えば、上述のようにビデオカメラに通信機能を持たせて、ネットワークを介してサーバなどにアクセスする場合、通常、アクセスに必要とされる世界標準時刻の情報を送信することができず、サーバにアクセスすることができず、例えば、ビデオメールなどをビデオカメラ単体で行うといったことができないという課題があった。
【０００６】
また、世界標準時刻の代わりにビデオカメラの時刻設定機能により設定された時刻を使用すると、世界標準時刻の基準となっているロンドン付近などの時刻が設定されている場合、その時刻が世界標準時刻であるので問題は生じないが、例えば、日本の標準時刻を世界標準時刻の代わりに利用してしまうと、9時間の時差（日本の標準時刻は、世界標準時刻に対して9時間の時差がある）が考慮されないことになるので、ネットワークを介してサーバにより配信されるメールの送受信などを行うようなときには、その時刻には9時間の時差が生じてしまい、メールが送受信された時刻を正確に把握することができないという課題があった。
【０００７】
本発明はこのような状況に鑑みてなされたものであり、ビデオカメラなどの撮像機能を有する情報処理装置に、世界標準時刻を算出させ、さらに、算出させた正確な世界標準時刻の情報を用いて、ビデオカメラ自身が単体でネットワークを介してサーバにアクセスできるようにするものである。
【０００８】
【課題を解決するための手段】
本発明の情報処理装置は、撮像機能を有する情報処理装置であって、ユーザの操作に基づいて情報を入力する入力部と、入力部による操作に基づいて、エリア、サマータイムに関する情報、年、月、日、時間、および分からなる日時情報を設定する日時合わせ手段と、日時合わせ手段により設定された日時情報に基づいて、世界標準時刻を算出する世界標準時刻算出手段と、情報を表示する表示手段と、ネットワークを介して外部機器とデータを授受する通信手段と、通信手段を介して外部機器にアクセスする際、日時情報が設定されているか否かを判定する判定手段と、判定手段の判定結果に基づいて、日時情報が設定されている場合、世界標準時刻算出手段により算出された世界標準時刻の情報を外部機器に対して送信するように通信手段を制御し、日時情報が設定されていない場合、外部機器へのアクセス処理において、日時情報の設定を促す情報を表示させるように前記表示手段を制御する制御手段とを備える。
【０００９】
複数のエリアを予め記憶するエリア記憶手段をさらに設けるようにさせることができ、日時合わせ手段には、エリア記憶手段により予め記憶されたエリアのうち、入力部により入力されたエリアを設定させるようにすることができる。
【００１０】
前記エリア記憶手段には、複数のエリア毎の世界標準時刻に対する時差の情報をさらに記憶させるようにすることができ、世界標準時刻算出手段には、日時合わせ手段により設定された時刻、および、予め記憶されたエリアのうち、入力部により入力され、設定されたサマータイムに関する情報により、世界標準時刻を算出させるようにすることができる。
【００１１】
前記入力部は、回転押圧操作素子により構成されるようにすることができる。
【００１２】
本発明の情報処理方法は、撮像機能およびユーザの操作に基づいて情報を入力する入力部を有する情報処理装置の情報処理方法であって、入力部による操作に基づいて、エリア、サマータイムに関する情報、年、月、日、時間、および分からなる日時情報を設定する日時合わせステップと、日時合わせステップの処理で設定された日時情報により、世界標準時刻を算出する世界標準時刻算出ステップと、情報を表示する表示ステップと、ネットワークを介して外部機器とデータを授受する通信ステップと、通信ステップの処理により外部機器にアクセスする際、日時情報が設定されているか否かを判定する判定ステップと、判定ステップの処理での判定結果に基づいて、日時情報が設定されている場合、世界標準時刻算出ステップの処理により算出された世界標準時刻の情報を外部機器に対して送信するように通信ステップの処理を制御し、日時情報が設定されていない場合、外部機器へのアクセス処理において、日時情報の設定を促す情報を表示させるように前記表示手段を制御する制御ステップとを含む。
【００１４】
本発明のプログラムは、撮像機能を有する情報処理装置を制御するプログラムであって、入力部による操作に基づいて、エリア、サマータイムに関する情報、年、月、日、時間、および分からなる日時情報を設定する日時合わせ手段の日時合わせ制御ステップと、日時合わせ制御ステップの処理で設定された日時情報により、世界標準時刻の算出を制御する世界標準時刻算出手段の世界標準時刻算出制御ステップと、情報の表示を制御する表示手段の表示制御ステップと、ネットワークを介して外部機器とデータの授受を制御する通信手段の通信制御ステップと、通信制御ステップの処理により外部機器にアクセスする際、日時情報が設定されているか否かの判定を制御する判定手段の判定制御ステップと、判定制御ステップの処理での判定結果に基づいて、日時情報が設定されている場合、世界標準時刻算出制御ステップの処理により算出された世界標準時刻の情報を外部機器に対して送信するように通信制御ステップの処理を制御し、日時情報が設定されていない場合、外部機器へのアクセス処理において、日時情報の設定を促す情報を表示させるように前記表示手段を制御する制御手段の動作制御ステップとを含む処理をコンピュータに実行させる。
【００１５】
本発明の情報処理装置および方法、並びにプログラムにおいては、入力部による操作に基づいて、エリア、サマータイムに関する情報、年、月、日、時間、および分からなる日時情報を設定され、設定された日時情報により、世界標準時刻が算出され、情報が表示され、ネットワークを介して外部機器とデータが授受され、外部機器にアクセスする際、日時情報が設定されているか否かが判定され、判定結果に基づいて、日時情報が設定されている場合、算出された世界標準時刻の情報が外部機器に対して送信されるように制御され、日時情報が設定されていない場合、外部機器へのアクセス処理において、日時情報の設定を促す情報を表示させるように制御される。
【００１６】
【発明の実施の形態】
図１は、本発明に係るビデオカメラ１の一実施の形態の構成を示す外観図である。撮像部１１は、レンズなどの光学系とCCD（Charge Coupled Device）などの撮像素子から構成され、図示せぬ被写体を撮像し、内蔵される後段の回路に映像信号を出力する。EVF（Electric View Finder）１２は、撮像内容を確認するものであり、ユーザが目で覗くことにより内蔵された小型のディスプレイ（図示せず）に表示された撮像部１１により撮像された像を確認することができる。EVF１２は、軸１２ａを中心として回動自在に構成されており、図１で示した状態から筐体１５に対して、矢印Ａ方向に回動することができ、ユーザの所望とする角度で使用することができる。
【００１７】
LCD（Liquid Crystal Display）１３は、撮像部１１により撮像された映像を表示するものであり、軸１３ａを中心として矢印Ｂ方向本体に対して略９０°の角度まで回動することができ、さらに、筐体１５に対して略９０°付近まで開いた状態になると、さらに、軸１３ｂを中心として、矢印Ｂ'方向にも略１８０°まで回動自在に構成されている。従って、LCD１３は、図１に示すように、ビデオカメラ１の筐体１５に対して外側に向けて表示させることができると共に、LCD１３を使用しないような場合、筐体１５側に向けて収納することができる。
【００１８】
ジョグダイヤル（回転押圧操作素子）１４は、筐体１５の底端部に設けられており、図２に示すように軸１４ａを中心として、矢印Ｃ，Ｄ方向に回転させることができ、さらに、図２に示すように矢印E方向に押圧でき、図２のジョグダイヤル１４ｂの状態にすることにより決定（選択）ボタンとして機能する。これにより、ユーザは、ジョグダイヤル１４を矢印Ｃ，Ｄ方向に回転させることで、後述するLCD１３に表示された設定画面に表示される各種の設定内容を選択して、さらに、矢印E方向に押圧することで、選択した処理を決定して、実行させることができる。また、メニューボタン１６は、筐体１５の側面部に設けられ、設定画面の起動時、または、終了時にユーザに押下される。
【００１９】
次に、図３を参照して、図１のビデオカメラの電気的構成を説明する。
【００２０】
合成回路２１は、撮像部１１より入力される映像信号をEVF１２、LCD１３、および、VTR（Video Tape Recorder）部３０に出力すると共に、設定画面表示制御部２２により制御され、スイッチ２１ａがオンにされると、設定画面表示制御部２２より入力される各種の設定画面の映像信号を、撮像部１１より入力される映像信号と合成して、EVF１２、LCD１３、および、VTR部３０に出力する。
【００２１】
設定画面表示制御部２２は、マイクロコンピュータ２４により制御され、所定の設定画面の映像信号をROM２３より読み出し、合成回路２１に出力する。マイクロコンピュータ２４は、CPU（Central Processing Unit）２４ａ、ROM（Read Only Memory）２４ｂ、および、RAM（Random Access Memory）２４ｃより構成され、ビデオカメラ１の全体の動作を制御しており、CPU２４ａがROM２４ｂに記憶されたプログラムを適宜RAM２４ｃに展開して実行する。また、マイクロコンピュータ２４は、ドライブ３０１に装着された光磁気ディスク３１１、光ディスク３１２、光磁気ディスク３１３、および、半導体メモリ３１４に記録されたプログラムを読み出し、RAM２４ｃに展開させて実行すると共に、各種のプログラムやデータを記録する。また、マイクロコンピュータ２４は、内蔵する上記のRAM２４ｃに、後述する各種の設定情報を記憶させ、適宜読み出して実行する。リアルタイムクロック２５は、マイクロコンピュータ２４により制御され、ビデオカメラ１の内部に設定される時刻をカウントするものであり、後述する日時合わせ処理により設定される。
【００２２】
記憶部２６は、いわゆる、ハードディスクなどから構成されており、エリア情報２６ａ、GMTプログラム２６ｂ、および、ネットワークアクセスプログラム２６ｃなどを記憶している。エリア情報２６ａは、後述する日時合わせ処理を行うときに参照される地域が記憶されており、その中には、各地域毎の地域名や世界標準時刻との時差が記憶されている。GMTプログラム２６ｂは、日時合わせ処理により設定されたエリア毎にリアルタイムクロック２５により求められる現在時刻と、エリア情報２６ａに記憶された時差に基づいて、世界標準時刻、すなわち、グリニッジ標準時刻を算出するプログラムである。ネットワークアクセスプログラム２６ｃは、通信部２９を制御して、インターネット３１を介してサーバ３２にアクセスするときに実行されるプログラムである。
【００２３】
バッテリ２７は、例えば、リチウムイオンバッテリ等から構成されており、ビデオカメラ１の全体に電力を供給する。入力部２８は、ジョグダイヤル１４、メニューボタン１６、および、図示せぬその他の操作ボタン（ビデオカメラ１の電源のオンオフや、VTR部３０を制御する再生、停止、録画、一時停止、および、イージェクトなどの処理を指定するボタン）などから入力される信号をマイクロコンピュータ２４に出力している。通信部２９は、モデムなどから構成されるものであり、マイクロコンピュータ２４により制御され、インターネット３１を介してサーバ３２にアクセスし、各種のデータの授受を行う。VTR部３０は、マイクロコンピュータ２４により制御され、図示せぬ記録媒体であるビデオカセットテープに合成回路２１より入力される映像信号を記録すると共に、ビデオカセットテープに記憶された映像信号を読み出して、EVF１２、または、LCD１３に出力し、表示させる。
【００２４】
次に、図４のフローチャートを参照して、設定処理について説明する。
【００２５】
ステップＳ１において、マイクロコンピュータ２４は、入力部２８を介してメニューボタン１６が押下されたか否かを判定し、押下されるまでその処理を繰り返し、押下されたと判定した場合、その処理は、ステップＳ２に進む。
【００２６】
ステップＳ２において、マイクロコンピュータ２４は、設定画面表示制御部２２を制御して、ROM２３に記憶されたメニュー画面を表示させる指令を送る。このとき、設定画面表示制御部２２は、ROM２３よりメニュー画面の映像信号を読み出して、さらに、合成回路２１のスイッチ２１ａをオンに制御して、EVF１２、および、LCD１３に出力して、図５で示されているメニュー表示欄１０３を表示させる。図５のメニュー表示欄１０３には、各種の操作が選択できるアイコンが表示され、ジョグダイヤル１４により上下に移動させることができるカーソル１０３ａにより処理内容を選択することができる。
【００２７】
ステップＳ３において、マイクロコンピュータ２４は、メニュー表示欄１０３のうちの初期設定を示すアイコンが選択されたか否かを判定し、例えば、図５に示すように、ジョグダイヤル１４が矢印Ｃ，Ｄ方向に操作されて、メニュー表示欄１０３上に設けられたカーソル１０３ａが移動して、初期設定を示すアイコン（今の場合、図５のメニュー表示欄１０３の上から７番目のアイコンが初期設定を示すアイコンである）の位置で、矢印Ｅ方向に押圧されて選択されると、ステップＳ４において、マイクロコンピュータ２４は、設定画面表示制御部２２を制御して、図５に示すような初期設定リスト１０１に対応する映像信号をROM２３から読み出させて、さらに、合成回路２１のスイッチ２１ａをオンにさせ、LCD１３に表示させる。今の場合、図５で示される初期設定リスト１０１上には、「日時合わせ」表示欄１０１ａ、「デモモード」表示欄、および、「戻る」表示欄１０１ｂが表示されている。また、初期設定リスト１０１の右横には、時刻表示欄１０２が表示されており、現在時刻が表示される。今の場合、時刻表示欄１０２には、「２０００  ５  ３０  １１：２３：５９  PM」と表示されており、現在時刻が「２０００年５月３０日午後１１時２３分５９秒」であることが示されている。尚、初期設定リスト１０１上には、表示された各種の表示欄を反転表示するカーソルが示される。このカーソルは、ジョグダイヤル１４を図２の矢印Ｃ方向、または、矢印Ｄ方向に回転させると上下に移動させることができ、各種の処理を選択することができ、さらに、図２の矢印Ｅ方向に押圧することで決定し、処理を実行させることができる。今の場合、カーソルは、日時合わせ表示欄１０１ａに位置されている。以下、カーソルの操作方法は、その他の設定画面も同様である。
【００２８】
ステップＳ５において、マイクロコンピュータ２４は、「日時合わせ」が選択されたか否かを判定し、例えば、図５に示すように、ジョグダイヤル１４によりカーソルが移動され、「日時合わせ」表示欄１０１ａが選択（決定）された場合、ステップＳ６において、日時合わせ処理が実行される。
【００２９】
ここで、図６のフローチャートを参照して、日時合わせ処理について説明する。
【００３０】
ステップＳ３１において、マイクロコンピュータ２４は、リアルタイムクロック２５を制御して、時刻のカウントを停止させる。ステップＳ３２において、マイクロコンピュータ２４は、設定画面表示制御部２２を制御して、LCD１３に図７で示すようなエリア設定画面を表示させる（同じ映像がEVF１２にも表示される）。
【００３１】
図７で示すエリア設定画面には、エリア選択欄１１１が表示され、予め記憶部２６のエリア情報２６ａに登録された複数のエリアのうち、所望のエリアをジョグダイヤル１４で選択することができる。今の場合、エリア設定画面には、「ロンドン、エジンバラ」が選択された状態で表示されている。エリア選択欄１１１の左上には、エリア番号表示欄１１１ａが設けられており、エリア選択欄１１１に表示されたエリアに対応する番号が表示される。今の場合、エリア番号表示欄１１１ａには、「エリア１」と表示されており、エリア選択欄１１１で選択された「ロンドン、エジンバラ」に対応するエリア番号が「エリア１」であることを示している。尚、エリア情報２６ａに登録されるエリア数は、この例においては２９個であるものとするが、２９個以外の個数であってもよく、さらに、登録できるようにしても良いし、不要なエリアは削除できるようにしても良い。
【００３２】
エリア選択欄１１１の右上にはGMT時差表示欄１１２が表示されており、世界標準時刻に対しての時差が表示されている。GMT時差表示欄１１２に表示される時差は、エリア情報２６ａに予め登録されたものであり、エリア選択欄１１１に表示されたエリアに対応して表示される。今の場合、GMT時差表示欄１１２には、「GMT  ＋０．０」が表示されており、エリア選択欄１１１に表示された「ロンドン、エジンバラ」のエリアが、世界標準時刻と同一で、時差のない時刻であることを示している。
【００３３】
エリア選択欄１１１の下には、サマータイム中であるか否かを表示するサマータイム選択欄１１３が設けられており、サマータイム中であるか否かを選択することができる。今の場合、サマータイム選択欄１１３には、「いいえ」が表示されており、サマータイム中ではない状態が設定されていることが示されている。サマータイム選択欄１１３の下には、日時選択欄１１４が設けられており、設定された日時を設定することができる。今の場合、日時選択欄１１４には、年の欄に「２０００」、月の欄に「５」、日の欄に「３０」、「時」と表示された時間の欄に「１１」、分の欄に「２３」、および、午前午後を示す欄に「PM」と、それぞれ表示されており、現在の時刻が、２０００年５月３０日午後１１時２３分であることが示されている。尚、エリア選択欄１１１、サマータイム選択欄１１３、および、日時選択欄１１４は、ジョグダイヤル１４により選択できる状態、すなわち、アクディブな状態になると、ハイライト表示される。今の場合、エリア選択欄１１１が、アクティブな状態であり、ハイライト表示（欄内の背景色が他の欄と異なる表示）されていることが示されている。
【００３４】
ステップＳ３３において、マイクロコンピュータ２４は、エリア設定処理を実行する。
【００３５】
ここで、図８のフローチャートを参照して、エリア設定処理について説明する。
【００３６】
ステップＳ５１において、マイクロコンピュータ２４は、設定画面表示制御部２２を制御して、エリア選択欄１１１を図７で示されているようにハイライト表示させる。
【００３７】
ステップＳ５２において、マイクロコンピュータ２４は、ジョグダイヤル１４により上が入力されたか否かを判定し、例えば、ジョグダイヤル１４が図２で示す矢印Ｃ方向に、所定の回転角度だけ回転したことが検知されると上が入力されたと判定し、その処理は、ステップＳ５３に進む。
【００３８】
ステップＳ５３において、マイクロコンピュータ２４は、ジョグダイヤル１４の回転角度に応じて、エリア番号をプラス方向にインクリメントし、さらに、対応するエリア番号をエリア番号表示欄１１１ａに表示させ、さらに、そのエリア番号に対応するエリアをエリア選択欄１１１に表示する。今の場合、例えば、エリア番号を１だけインクリメントさせるだけ、ジョグダイヤル１４が回転させられたとき、図９に示すように、エリア表示欄１１１には、「パリ、アムステルダム」が、エリア番号表示欄１１１ａには、「エリア２」が、GMT時差表示欄１１２には、「GMT ＋１．０」が、それぞれ表示され、エリア番号が１だけインクリメントされたエリア２に対応するエリアが「パリ、アムステルダム」であり、世界標準時刻に対して＋１時間の時差が存在することを示している。
【００３９】
ステップＳ５４において、マイクロコンピュータ２４は、GMT時差表示欄１１２に表示された時差に対応する現在時刻を計算し、日時選択欄１１４に表示し、その処理は、ステップＳ５２に戻る。すなわち、今の場合、時差は＋１．０時間であるので、図７の日時選択欄１１４で示されている日時である、２０００年５月３０日午後１１時２３分に１時間加算された、２０００年５月３１日午前１２時２３分が、図９の日時表示欄１１４に表示される。
【００４０】
ステップＳ５２において、上が入力されなかった場合、ステップＳ５５において、マイクロコンピュータ２４は、ジョグダイヤル１４により下が入力されたか否かを判定し、例えば、ジョグダイヤル１４が図２に示す矢印Ｄ方向に、所定の回転角度だけ回転したことが検知されると下が入力されたと判定し、その処理は、ステップＳ５６に進む。
【００４１】
ステップＳ５６において、マイクロコンピュータ２４は、ジョグダイヤル１４の回転角度に応じて、エリア番号をマイナス方向にインクリメントし、対応するエリア番号をエリア番号表示欄１１１ａに表示させ、さらに、そのエリア番号に対応するエリアをエリア選択欄１１１に表示した後、その処理は、ステップＳ５４に進む。例えば、エリア番号を−１だけインクリメントさせるだけ、ジョグダイヤル１４が回転させられたとき、図１０に示すように、エリア表示欄１１１には、「アゾレス、カボベルテ」が、エリア番号表示欄１１１ａには、「エリア２９」が、GMT時差表示欄１１２には、「GMT −１．０」が、それぞれ表示され、エリア番号が−１だけインクリメントされたエリア２９に対応するエリアが「アゾレス、カボベルテ」であり、世界標準時刻に対して−１時間の時差が存在することを示している。
【００４２】
ステップＳ５５において、下が入力されなかったと判定された場合、ステップＳ５７において、マイクロコンピュータ２４は、ジョグダイヤル１４により決定が入力されたか否かを判定し、例えば、決定が入力されていない、すなわち、ジョグダイヤル１４が図２の矢印Ｅ方向に押圧されていないと判定した場合、その処理は、ステップＳ５２に戻り、それ以降の処理が繰り返される。ステップＳ５７において、決定が入力されたと判定された場合、ステップＳ５８において、マイクロコンピュータ２４は、エリア選択欄１１１のハイライト表示を元の表示の戻し、その処理は終了し、図６のステップＳ３４の処理に進む。
【００４３】
ここで、図６のフローチャートの説明に戻る。
【００４４】
ステップＳ３４において、マイクロコンピュータ２４は、サマータイム設定処理を実行する。
【００４５】
ここで、図１１のフローチャートを参照して、サマータイム設定処理について説明する。ステップＳ６１において、マイクロコンピュータ２４は、設定画面表示制御部２２を制御して、サマータイム選択欄１１３を、図１２に示すように「いいえ」と示されたサマータイム選択欄１１３ａと「はい」と示されたサマータイム選択欄１１３ｂの形式に表示し、選択されている状態をハイライト表示する。今の場合、例えば、図１２に示すように「いいえ」と示されたサマータイム選択欄１１３ａがハイライト表示されているので、サマータイム中ではない状態が選択されている。
【００４６】
ステップＳ６２において、マイクロコンピュータ２４は、ジョグダイヤル１４が上、または、下のいずれかが入力されたか否かを判定する。例えば、ジョグダイヤル１４が、図２の矢印Ｃ方向、または、矢印Ｄ方向に所定の回転角度だけ回転されたと判定すると、ステップＳ６３において、マイクロコンピュータ２４は、設定画面表示制御部２２を制御して、サマータイム選択欄１１３のハイライト表示を変更させ、さらに、現在の日時選択欄１１４に表示された時刻を、サマータイム中であるか否かに対応させて変更して表示する。すなわち、今の場合、図１３に示すように「いいえ」と示されたサマータイム選択欄１１３ａのハイライト表示を、「はい」と示されたサマータイム選択欄１１３ｂに変更させると共に、日時選択欄１１４に表示された時刻を、サマータイム中の時刻に変更し、図１２に示すサマータイム中ではない２０００年５月３０日午後１１時２３分から、図１３に示すようにサマータイム中である２０００年５月３１日午前１２時２３分の表示に変更する。尚、図１３の状態で、ジョグダイヤル１４が上述と同様に操作された場合、逆の処理が実行され、サマータイム中の時刻からサマータイム中ではない時刻に変更される。
【００４７】
ステップＳ６２において、上、または、下が入力されなかった場合、ステップＳ６４において、決定が入力されたか否かが判定され、決定が入力されなかったと判定された場合、その処理は、ステップＳ６２に戻る。ステップＳ６４において、決定が入力されたと判定された場合、ステップＳ６５において、マイクロコンピュータ２４は、サマータイム選択欄１１３を元の表示に戻し、その処理を終了して、図６のステップＳ３５に進む。すなわち、図１２の状態で決定が入力されると、図１４に示すように、サマータイム選択欄１１３には、「いいえ」が表示された、サマータイム中ではない状態が設定されて、元の表示に戻される。また、同様に、図１３の状態で決定が入力されると、図１５に示すように、サマータイム選択欄１１３には、「はい」が表示された、サマータイム中の状態が設定されて、元の表示に戻される。
【００４８】
ここで、図６のフローチャートの説明に戻る。
【００４９】
ステップＳ３５において、マイクロコンピュータは、年設定処理を実行する。
【００５０】
ここで、図１６のフローチャートを参照して、年設定処理を説明する。ステップＳ７１において、マイクロコンピュータ２４は、設定画面表示制御部２２を制御して、日時選択欄１１４のうち年選択欄１１４ａをアクティブ表示、すなわち、ハイライト表示させる。例えば、図１２に示すようにサマータイム選択欄１１３が「いいえ」の状態、すなわち、サマータイム中ではない状態で、年設定処理が実行された場合、それまでに設定されていた年数、すなわち、「２０００」が、図１４に示すように、ハイライト表示される。
【００５１】
ステップＳ７２において、マイクロコンピュータ２４は、ジョグダイヤル１４により上が入力されたか否かを判定し、例えば、ジョグダイヤル１４が図２に示す矢印Ｃ方向に、所定の回転角度だけ回転したことが検知されると上が入力されたと判定し、その処理は、ステップＳ７３に進む。
【００５２】
ステップＳ７３において、マイクロコンピュータ２４は、ジョグダイヤル１４の回転角度に応じて、年数を＋方向にインクリメントし、さらに、対応する年数を年選択欄１１４ａに表示させ、その処理は、ステップＳ７１に戻る。すなわち、今の場合、年選択欄１１４ａには、「２０００」が表示されているので、ジョグダイヤル１４の回転角度に応じて、２００１、２００２、２００３・・・・と表示が変化することになる。
【００５３】
ステップＳ７２において、上が入力されなかった場合、ステップＳ７４において、マイクロコンピュータ２４は、ジョグダイヤル１４により下が入力されたか否かを判定し、例えば、ジョグダイヤル１４が図２に示す矢印Ｄ方向に、所定の回転角度だけ回転したことが検知されると下が入力されたと判定し、その処理は、ステップＳ７５に進む。
【００５４】
ステップＳ７５において、マイクロコンピュータ２４は、ジョグダイヤル１４の回転角度に応じて、年数を−方向にインクリメントし、対応する年数を年選択欄１１４ａに表示させ、その処理は、ステップＳ７２に戻る。すなわち、今の場合、年選択欄１１４ａには、「２０００」が表示されているので、ジョグダイヤル１４の回転角度に応じて、１９９９、１９９８、１９９７・・・・と表示が変化することになる。
【００５５】
ステップＳ７４において、下が入力されなかったと判定された場合、ステップＳ７６において、マイクロコンピュータ２４は、ジョグダイヤル１４により決定が入力されたか否かを判定し、例えば、ジョグダイヤル１４が図２の矢印Ｅ方向に押下されていない（決定が入力されていない）と判定した場合、その処理は、ステップＳ７２に戻り、それ以降の処理が繰り返される。ステップＳ７６において、決定が入力されたと判定された場合、ステップＳ７７において、マイクロコンピュータ２４は、年選択欄１１４ａのハイライト表示を元の表示に戻し、その時点で表示されている年数を年選択欄１１４ａに設定すると共に、その処理は終了し、図６のステップＳ３６の処理に進む。
【００５６】
ここで、図６のフローチャートの説明に戻る。
【００５７】
ステップＳ３６において、月設定処理が実行される。すなわち、図１７に示すように、日時選択欄１１４の月選択欄１１４ｂがハイライト表示され、ジョグダイヤル１４により月が設定される。今の場合、月選択欄１１４ｂには、「５」が表示され、５月が設定されていることが示されている。尚、月設定処理は、図１６のフローチャートを参照して説明した年設定処理と同様の処理により設定されるので、その説明は省略する。
【００５８】
ステップＳ３７において、日設定処理が実行される。すなわち、図１８に示すように、日時選択欄１１４の日選択欄１１４ｃがハイライト表示され、ジョグダイヤル１４により日が設定される。今の場合、日選択欄１１４ｃには、「３０」が表示され、３０日が設定されていることが示されている。尚、日設定処理は、図１６のフローチャートを参照して説明した年設定処理と同様の処理により設定されるので、その説明は省略する。
【００５９】
ステップＳ３８において、時間設定処理が実行される。すなわち、図１９に示すように、日時選択欄１１４の時間選択欄１１４ｄがハイライト表示され、ジョグダイヤル１４により時間が設定される。今の場合、時間選択欄１１４ｄには、「１１」が表示され、１１時が設定されていることが示されている。時間選択欄１１４ｄの設定時により、午前中であれば「ＡＭ」が、午後であれば「ＰＭ」が、それぞれ日時選択欄１１４の右端に表示される。今の場合、「ＰＭ」が表示され、午後であることが示されている。尚、時間設定処理は、図１６のフローチャートを参照して説明した年設定処理と同様の処理により設定されるので、その説明は省略する。
【００６０】
ステップＳ３９において、分設定処理が実行される。すなわち、図２０に示すように、日時選択欄１１４の分選択欄１１４ｅがハイライト表示され、ジョグダイヤル１４により分が設定される。今の場合、分選択欄１１４ｅは、「２３」が表示され、２３分が設定されていることが示されている。尚、分設定処理は、図１６のフローチャートを参照して説明した年設定処理と同様の処理により設定されるので、その説明は省略する。
【００６１】
ステップＳ４０において、マイクロコンピュータ２４は、リアルタイムクロック２５を制御し、設定された時刻から時間のカウントを開始させ、LCD１３に図５で示す、初期設定リスト１０１が表示された初期設定画面を表示させると共に、選択されたエリア（エリア情報２６ａに記憶された対応する時差情報を含む）、および、サマータイム中であるか否かの設定情報を内蔵するRAM２４ｃに記憶させる。その処理は、図４のステップＳ７に進む。尚、リアルタイムクロック２５のカウントが開始されるとき、現在時刻の秒は、カウントの開始時点で０に設定される。
【００６２】
ここで、図４のフローチャートの説明に戻る。
【００６３】
ステップＳ７において、マイクロコンピュータ２４は、ジョグダイヤル１４により戻る表示欄１０１ｂが選択されたか否かを判定し、戻る表示欄１０１ｂが選択されていないと判定した場合、その処理は、ステップＳ４に戻り、戻る表示欄１０１ｂが選択されたと判定した場合、その処理は、ステップＳ８に進む。
【００６４】
ステップＳ８において、マイクロコンピュータ２４は、ジョグダイヤル１４が操作されて、設定画面上のメニュー表示欄１０３より、その他の位置にカーソル１０３ａが移動されて、選択（決定）されたか否かを判定し、その他が選択された場合、その処理は、ステップＳ９に進む。
【００６５】
ステップＳ９において、マイクロコンピュータ２４は、設定画面表示制御部２２を制御して、図２１に示すように、「その他」の設定画面を表示する。図２１で示すように、「その他」の設定画面には、その他設定リスト１３１が表示され、各種の設定項目が表示される。尚、今の場合、「その他」の設定を示すアイコンは、メニュー表示欄１０３上の図中の上から８番目のアイコンである。また、その他設定リスト１３１には、上から、エリア設定表示欄１３１ａ、サマータイム表示欄１３１ｂ、お知らせブザー表示欄、リモコン表示欄、日付録画表示欄、画面表示表示欄、録画ランプ表示欄、ネットワークアクセス表示欄１３１ｃ、および、戻る表示欄が表示されており、各種の設定処理を選択することができる。尚、ここでは、時刻の情報に関係するエリア設定、サマータイム設定、および、ネットワークアクセス処理についてのみ説明するものとする。
【００６６】
ステップＳ１０において、マイクロコンピュータ２４は、エリア設定表示欄１３１ａが選択されたか否かを判定する。例えば、図２１に示すように、エリア設定表示欄１３１ａが、ジョグダイヤル１４により選択されて、決定された場合、その処理は、ステップＳ１１に進む。ステップＳ１１において、エリア設定処理が実行される。このエリア設定処理は、図７のフローチャートを参照して説明した処理と同様であるが、表示画面が異なるので、その処理の説明は省略し、表示画面について説明する。
【００６７】
図２１に示すように、ジョグダイヤル１４によりエリア設定表示欄１３１ａがハイライト表示されると、エリア番号表示欄１３２が画面右上に表示され、今の場合、「エリア１」と表示されている。その下には、エリア表示欄１３３が表示されており、今の場合、「ロンドン、エジンバラ」と表示されている。その下には、GMT時差表示欄１３３ａが表示されており、エリア表示欄１３３に連動して、対応する世界標準時刻との時差が表示されており、今の場合、「GMT  ＋０．０」が表示されており、世界標準時刻との時差がないことが示されている。さらに、その下には、日時表示欄１３４が表示されており、初期設定での日時合わせ処理により設定された日時が表示されている。今の場合、日時表示欄１３４には、現在時刻が「２０００年５月３０日午後１１時２３分５９秒」であることが示されている。
【００６８】
この状態で、ジョグダイヤル１４により決定が入力されると、すなわち、エリア設定表示欄１３１ａが選択されると、図２２に示すように、エリア選択欄１４１が表示され、その右上にGMT時差表示欄１４１ａが表示され、さらに、その左上にエリア番号表示欄１４１ｂが表示される。これらは、図７のエリア選択欄１１１、エリア番号表示欄１１１ａ、および、GMT時差表示欄１１２にそれぞれ対応するものである。また、エリア選択欄１４１の左下には、日時表示欄１４２が表示されており、これは、図７の日時表示欄１１４に対応するものである。
【００６９】
今の場合、エリア選択欄１４１には、「ロンドン、エジンバラ」が、GMT時差表示欄１４１ａには、「GMT  ＋０．０」が、エリア番号表示欄１４１ｂには、「エリア１」が、日時表示欄１４２には、「２０００年５月３０日午後１１時２３分５９秒」が、それぞれ表示されている。初期設定時と異なるのは、時刻のカウントが停止されていない状態で処理されており、秒の単位までが、日時表示欄１４２に表示されていることである。すなわち、初期設定時に設定された時刻に基づいて、例えば、ビデオカメラ１を所持して、海外旅行などに出かけたときに、時間のカウントを停止させることなく、エリア設定だけを変更することにより、海外旅行に出かけた国の時間帯に設定することが可能とされている。
【００７０】
図２２の表示画面上で設定が可能なのは、エリア選択欄１４１のみであるので、エリア選択欄１４１のみがハイライト表示されている。この状態で、例えば、ジョグダイヤル１４を上方向（図２中の矢印Ｃ方向）に、エリア番号について１だけインクリメントするのに対応する角度だけ回転させると、図２３に示すように、エリア選択欄１４１の表示が変更されて、「パリ、アムステルダム」と表示され、さらに、GMT時差表示欄１４１ａには、時差が＋１時間であることを示す「GMT ＋１．０」が表示され、日時表示欄１４２の表示は、この時差に対応する分の処理がなされ、「２０００年５月３１日午前１２時２３分５９秒」を示している。すなわち、例えば、ロンドンで初期設定により日時合わせを行った状態で、そのビデオカメラ１を所持して、パリに行ったときには、この処理により、初期設定による日時合わせを実行させることなく、時差に対応した日時表示に変更することができる。また、エリア番号について−１だけインクリメントするのに対応する角度だけ回転させると、図２４に示すように、エリア選択欄１４１の表示が変更されて、「アゾレス、カボベルテ」と表示され、さらに、GMT時差表示欄１４１ａには、時差が−１時間であることを示す「GMT −１．０」が表示され、日時表示欄１４２の表示は、この時差に対応する分の処理がなされ、「２０００年５月３０日午後１０時２３分５９秒」を示している。すなわち、例えば、ロンドンで初期設定により日時合わせを行った状態で、そのビデオカメラ１を所持して、アゾレスに行ったときには、この処理により、初期設定による日時合わせを実行させることなく、時差に対応した日時表示に変更することができる。
【００７１】
ここで、図４のフローチャートの説明に戻る。
【００７２】
ステップＳ１２において、戻るが選択されたか否かが判定され、例えば、戻るが選択されなかった場合、その処理は、ステップＳ９に戻る。
【００７３】
ステップＳ１０において、エリア設定表示欄１３１ａが選択されなかった場合、ステップＳ１３において、サマータイム表示欄１３１ｂが選択されたか否かが判定され、サマータイム表示欄１３１ｂが選択されたと判定された場合、ステップＳ１４において、サマータイム設定処理を実行した後、その処理は、ステップＳ１２に進む。このサマータイム設定処理は、図１１のフローチャートを参照して説明した処理と同様であるが、表示画面が異なるので、その処理の説明は省略し、表示画面を説明する。
【００７４】
図２５に示すように、ジョグダイヤル１４によりサマータイム表示欄１３１ｂがハイライト表示され、表示画面の右上にサマータイム選択欄１５１が表示され、現在のサマータイムの設定が表示される。さらに、この状態で、ジョグダイヤル１４が図２中の矢印Ｅ方向に押圧されると、図２６に示すように、サマータイム選択欄１５１が、「いいえ」と表示されたサマータイム選択欄１５１ａと、「はい」と表示されたサマータイム選択欄１５１ｂの表示に変化されて、サマータイムの設定が可能であることを示すハイライト表示がなされる。今の場合、「いいえ」と表示されたサマータイム選択欄１５１ａがハイライト表示になっている。この状態で、ジョグダイヤル１４が図２の矢印Ｃ方向、または、矢印Ｄ方向に所定の回転角度だけ回転されると、図２７に示すように、「はい」と表示されたサマータイム選択欄１５１ｂがハイライト表示される。このとき、サマータイムが設定されていないので、図２６において、日時表示欄１３４には、「２０００年５月３０日午後１１時２３分５９秒」を示す表示がされているが、サマータイムが設定されたことにより、図２７に示すように、日時表示欄１３４には、「２０００年５月３１日午前１２時２３分５９秒」を示す表示に変更される。この状態で、ジョグダイヤル１４が図２の矢印Ｅ方向に押圧されると、すなわち、「はい」と表示されたサマータイム選択欄１５１ｂが選択されると、図２８に示すように、サマータイム中であることが設定される。
【００７５】
ここで、図４のフローチャートの説明に戻る。
【００７６】
ステップＳ１３において、サマータイム設定表示１３１ｂが選択されなかった場合、ステップＳ１５において、ネットワークアクセスが選択されたか否かが判定される。ステップＳ１５において、例えば、図２９に示すように、ネットワークアクセス表示欄１３１ｃがジョグダイヤル１４によりハイライト表示されて、さらに、選択されると、ステップＳ１６において、ネットワークアクセス処理が実行される。
【００７７】
ここで、図３０のフローチャートを参照して、ネットワークアクセス処理について説明する。
【００７８】
ステップＳ８１において、マイクロコンピュータ２４は、ネットワークアクセスプログラム２６ｃを起動させ、図３１に示すようなネットワークアクセス処理の表示画面をLCD１３に表示させる。表示画面の上部には、ログイン名入力欄１６１が表示され、ハイライト表示された状態で、ジョグダイヤル１４、または、図示せぬその他のボタンによりログイン名の文字を入力することができる。ログイン名入力欄１６１の下には、パスワード入力欄１６２が設けられており、ジョグダイヤル１４、または、図示せぬその他のボタンによりパスワードを入力することができる。パスワード入力欄１６２の左下には、ログインボタン１６３が設けられており、ユーザがログインを要求するときジョグダイヤル１４により選択し、押下することができる。パスワード入力欄１６２の右下には、キャンセルボタン１６４が設けられており、処理をキャンセルするとき、ユーザがジョグダイヤル１４を操作して選択し、押下することができる。ログイン名入力欄１６１、パスワード入力欄１６２、ログインボタン１６３、および、キャンセルボタン１６４は、ジョグダイヤル１４により選択されると、ハイライト表示されて、入力が可能となる。
【００７９】
ステップＳ８２において、ネットワークアクセスプログラム２６ｃは、ログインの要求があったか否かを判定し、例えば、ログイン名入力欄１６１、および、パスワード入力欄１６２に所定のログイン名とパスワードが入力され、ログインボタン１６３が押下されたと判定された場合、その処理は、ステップＳ８３に進む。
【００８０】
ステップＳ８３において、ネットワークアクセスプログラム２６ｃは、日時が設定されているか否かを判定する。より詳細には、ネットワークアクセスプログラム２６ｃは、マイクロコンピュータ２４のRAM２４ｃに設定情報（エリアの情報（時差）、サマータイム中であるか否かの情報）が記録されているか否かを判定する。ステップＳ８３において、例えば、日時が設定されていないと判定された場合、ステップＳ８４において、ネットワークアクセスプログラム２６ｃは、図３２に示すような日時の設定を要求する画面を表示する。すなわち、図３２においては、画面の中央に「メニューで日付時刻を合わせて下さい」が表示され、その左下に「時刻を合わせる」と表示された、日時合わせボタン１７１と、キャンセルボタン１７２が表示される。
【００８１】
ステップＳ８５において、ネットワークアクセスプログラム２６ｃは、日時合わせボタン１７１が押下されたか否かを判定し、日時合わせボタン１７１が押下されたと判定された場合、ステップＳ８６において、日時合わせの処理が実行される。尚、ステップＳ８６の日時合わせの処理は、上述の図６のフローチャートを参照して説明した処理と同様であるので、その説明は省略する。
【００８２】
ステップＳ８７において、ネットワークアクセスプログラム２６ｃは、RAM２４ｃに記憶されたエリアの情報（時差）、サマータイム中であるか否かの情報、および、リアルタイムクロック２５の情報に基づいて、GMTプログラム２６ｂを実行させて、世界標準時刻を計算させた後、通信部２９を制御して、入力されたログイン名とパスワードと共に、認証情報としてインターネット３１を介してサーバ３２に送信し、サーバ３２からの応答を受信する。
【００８３】
すなわち、GMTプログラム２６ｂは、リアルタイムクロック２５に設定された現在時刻に、時差となる値を加算し、さらに、サマータイム中であるか否かの情報により、世界標準時刻を求める。
【００８４】
また、このとき、サーバ３２からは、認証結果と共に認証が認められた場合には、インターネット３１を介してサーバ３２により実行可能なプログラムのメニュー情報が送信されてくる。
【００８５】
ステップＳ８８において、ネットワークアクセスプログラム２６ｃは、サーバ３２からの認証結果が認められたか否かを判定し、認証が認められたと判定した場合、ステップＳ８９において、サーバ３２から受信したメニュー情報に基づいて、図３３にネットワーク処理用のメニュー画面を表示する。すなわち、図３３に示すネットワーク処理用のメニュー画面には、メールボタン１８１、インターネット検索ボタン１８２、および、戻るボタン１８３が表示される。メールボタン１８１は、ジョグダイヤル１４により選択されて、押下されると、メール用のプログラムが実行される。インターネット検索ボタン１８２は、ジョグダイヤル１４により押下されると、インターネット検索エンジンのプログラムが実行される。戻るボタン１８３は、ジョグダイヤル１４により押下されると、ネットワークアクセス処理が終了される。
【００８６】
ステップＳ９０において、メールボタン１８１、および、インターネット検索ボタン１８２が押下されることにより実行される各種の処理がネットワーク処理として実行される。尚、ネットワーク処理としては、上記のメールやインターネット検索以外の処理ができるようにしてもよい。
【００８７】
ステップＳ９１において、ネットワークアクセスプログラム２６ｃは、戻るボタン１８３が押下されたか否かを判定し、押下されるまでその処理を繰り返し、押下されたと判定された場合、その処理は終了し、図４のステップＳ１２の処理に戻る。
【００８８】
ステップＳ８２において、ログインの要求がない場合、すなわち、キャンセルボタン１６４が押下された場合、その処理は、図４のステップＳ１２の処理に進む。ステップＳ８３において、日時合わせがされていると判定された場合、ステップＳ８４乃至Ｓ８６の処理がスキップされ、その処理は、ステップＳ８７に進む。ステップＳ８５において、日時合わせボタン１７１が押下されなかった場合、すなわち、キャンセルボタン１７２が押下された場合、その処理は、図４のステップＳ１２の処理に進む。ステップＳ８８において、認証が認められなかった場合、その処理は、ステップＳ８１に戻り、それ以降の処理が繰り返される。
【００８９】
ここで、図４のフローチャートの説明に戻る。
【００９０】
ステップＳ３において、初期設定が選択されていないと判定された場合、ステップＳ４乃至Ｓ７の処理がスキップされて、その処理は、ステップＳ８に進む。ステップＳ５において、日時合わせが選択されなかった場合、ステップＳ１８において、デモモードが選択されたか否かが判定され、デモモードが選択されたと判定された場合、ステップＳ１９において、デモモード処理が実行され、その処理は、ステップＳ４に戻る。デモモード処理とは、操作のデモンストレーションを表示することであるが、ここでは、その処理の説明は省略する。ステップＳ１８において、デモモードが選択されなかった場合、その処理は、ステップＳ４に戻る。また、ステップＳ７において、戻るが選択されなかった場合、その処理は、ステップＳ４に戻る。ステップＳ８において、その他が選択されなかった場合、ステップＳ１７において、メニューボタン１６が押下されたか否かが判定され、メニューボタン１６が押下された場合、その処理は、ステップＳ１に戻り、メニューボタン１６が押下されなかった場合、その処理は、ステップＳ３に戻る。
【００９１】
ステップＳ１２において、戻るが選択された場合、その処理は、ステップＳ１７に進む。ステップＳ１５において、ネットワークアクセスが選択されなかった場合、その処理は、ステップＳ９に戻る。
【００９２】
このように、本発明を適用したビデオカメラ１は、インターネット３１などのネットワークを介したサーバ３２とのデータの授受を行う際に、認証情報と共に必要とされる世界標準時刻の情報を、エリア毎の時差の情報、サマータイム中であるか否かの情報、および、設定された現在時刻から算出することができるので、アクセス時に認証情報と共にサーバ３２などに送信することで、ビデオカメラ１自身がVTR部３０などに記録されたデータを直接サーバ３２と授受するといったことが可能となる。
【００９３】
尚、以上の例においては、入力部２８に対してジョグダイヤル１４により各種の情報が入力されていたが、それ以外の入力素子でもよく、例えば、図３４に示すような選択ボタン１９１を筐体１５に設けるようにしても良い。この選択ボタン１９１は、上ボタン２０１、下ボタン２０２、左ボタン２０３、右ボタン２０４、および、決定ボタン２０５より構成され、各種の処理において、ジョグダイヤル１４と同様に、上下の情報に加えて、左右の情報と決定の情報を入力することができる。
【００９４】
以上によれば、ビデオカメラが、エリア毎の時差の情報と、サマータイム中であるか否かの情報に基づいて、現在時刻から世界標準時刻を算出できるようにしたので、算出した世界標準時刻の情報を用いて、ネットワークを介して直接サーバにアクセスでき、ビデオカメラ自身がサーバと直接データを授受することが可能となる。
【００９５】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行させることが可能な、例えば汎用のパーソナルコンピュータなどに記録媒体からインストールされる。
【００９６】
この記録媒体は、図３に示すようにビデオカメラ１に予め組み込まれた状態でユーザに提供される、プログラムが記録されている記憶部２６だけではなく、コンピュータとは別に、ユーザにプログラムを提供するために配布される、プログラムが記録されている磁気ディスク３１１（フレキシブルディスクを含む）、光ディスク３１２（CD-ROM(Compact Disk-Read Only Memory)，DVD（Digital Versatile Disk）を含む）、光磁気ディスク３１３（MD（Mini-Disk）を含む）、もしくは半導体メモリ３１４（Memory Stickを含む）などよりなるパッケージメディアにより構成される。
【００９７】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【００９８】
【発明の効果】
本発明の情報処理装置および方法、並びにプログラムによれば、入力部による操作に基づいて、エリア、サマータイムに関する情報、年、月、日、時間、および分からなる日時情報を設定し、設定した日時情報により、世界標準時刻を算出し、情報を表示し、ネットワークを介して外部機器とデータを授受し、外部機器にアクセスする際、日時情報が設定されているか否かを判定し、判定結果に基づいて、日時情報が設定されている場合、算出した世界標準時刻の情報を外部機器に対して送信するように制御し、日時情報が設定されていない場合、外部機器へのアクセス処理において、日時情報の設定を促す情報を表示させるように前記表示手段を制御するようにしたので、撮像機能を備えた情報処理装置がサーバに対して直接アクセスでき、さらに、直接データを授受することが可能となる。
【図面の簡単な説明】
【図１】本発明を適用した一実施の形態の構成を示すビデオカメラの外観図である。
【図２】図１のジョグダイヤルを説明する図である。
【図３】図１のビデオカメラの電気的構成を説明する図である。
【図４】設定処理を説明するフローチャートである。
【図５】図１のLCDに表示される設定画面の表示例を示した図である。
【図６】日時合わせ処理を説明するフローチャートである。
【図７】図１のLCDに表示される設定画面の表示例を示した図である。
【図８】エリア設定処理を説明するフローチャートである。
【図９】図１のLCDに表示される設定画面の表示例を示した図である。
【図１０】図１のLCDに表示される設定画面の表示例を示した図である。
【図１１】サマータイム設定処理を説明するフローチャートである。
【図１２】図１のLCDに表示される設定画面の表示例を示した図である。
【図１３】図１のLCDに表示される設定画面の表示例を示した図である。
【図１４】図１のLCDに表示される設定画面の表示例を示した図である。
【図１５】図１のLCDに表示される設定画面の表示例を示した図である。
【図１６】年設定処理を説明するフローチャートである。
【図１７】図１のLCDに表示される設定画面の表示例を示した図である。
【図１８】図１のLCDに表示される設定画面の表示例を示した図である。
【図１９】図１のLCDに表示される設定画面の表示例を示した図である。
【図２０】図１のLCDに表示される設定画面の表示例を示した図である。
【図２１】図１のLCDに表示される設定画面の表示例を示した図である。
【図２２】図１のLCDに表示される設定画面の表示例を示した図である。
【図２３】図１のLCDに表示される設定画面の表示例を示した図である。
【図２４】図１のLCDに表示される設定画面の表示例を示した図である。
【図２５】図１のLCDに表示される設定画面の表示例を示した図である。
【図２６】図１のLCDに表示される設定画面の表示例を示した図である。
【図２７】図１のLCDに表示される設定画面の表示例を示した図である。
【図２８】図１のLCDに表示される設定画面の表示例を示した図である。
【図２９】図１のLCDに表示される設定画面の表示例を示した図である。
【図３０】ネットワークアクセス処理を説明するフローチャートである。
【図３１】図１のLCDに表示される設定画面の表示例を示した図である。
【図３２】図１のLCDに表示される設定画面の表示例を示した図である。
【図３３】図１のLCDに表示される設定画面の表示例を示した図である。
【図３４】図１のジョグダイヤルの代わりに用いる選択ボタンを示した図である。
【符号の説明】
１３  LCD，１４  ジョグダイヤル，１５  筐体，１６  メニューボタン，２１  合成回路，２２  設定画面表示部，２３  ROM，２４  マイクロコンピュータ，２５  リアルタイムクロック，２６  記憶部，２６ａ  エリア情報，２６ｂ  GMTプログラム，２６ｃ  ネットワークアクセスプログラム，２９  通信部，３１  インターネット，３２  サーバ，１０１  初期設定リスト，１０１ａ  日時合わせ表示欄，１０２  日時表示欄，１０３  メニュー表示欄，１１１  エリア表示欄，１１１ａ  エリア番号表示欄，１１２  GMT時差表示欄，１１３  サマータイム選択欄，１１４  日時選択欄，１１４ａ  年選択欄，１１４ｂ  月選択欄，１１４ｃ  日選択欄，１１４ｄ  時間選択欄，１１４ｅ  分選択欄，１３１  その他設定リスト，１３１ａ  エリア設定表示欄，１３１ｂ  サマータイム表示欄，１３１ｃ  ネットワークアクセス表示欄，１３２  エリア番号表示欄，１３３  エリア表示欄，１３３ａ  GMT時差表示欄，１３４  日時表示欄，１４１  エリア選択欄，１４１ａ  GMT時差表示欄，１４１ｂ  エリア番号表示欄，１５１，１５１ａ，１５１ｂ  サマータイム選択欄，１６１  ログイン名入力欄，１６２  パスワード入力欄，１６３  ログインボタン，１６４  キャンセルボタン
【図１】
0004251786.tif 000002
【図２】
0004251786.tif 000003
【図３】
0004251786.tif 000004
【図４】
0004251786.tif 000005
【図５】
0004251786.tif 000006
【図６】
0004251786.tif 000007
【図７】
0004251786.tif 000008
【図８】
0004251786.tif 000009
【図９】
0004251786.tif 000010
【図１０】
0004251786.tif 000011
【図１１】
0004251786.tif 000012
【図１２】
0004251786.tif 000013
【図１３】
0004251786.tif 000014
【図１４】
0004251786.tif 000015
【図１５】
0004251786.tif 000016
【図１６】
0004251786.tif 000017
【図１７】
0004251786.tif 000018
【図１８】
0004251786.tif 000019
【図１９】
0004251786.tif 000020
【図２０】
0004251786.tif 000021
【図２１】
0004251786.tif 000022
【図２２】
0004251786.tif 000023
【図２３】
0004251786.tif 000024
【図２４】
0004251786.tif 000025
【図２５】
0004251786.tif 000026
【図２６】
0004251786.tif 000027
【図２７】
0004251786.tif 000028
【図２８】
0004251786.tif 000029
【図２９】
0004251786.tif 000030
【図３０】
0004251786.tif 000031
【図３１】
0004251786.tif 000032
【図３２】
0004251786.tif 000033
【図３３】
0004251786.tif 000034
【図３４】
0004251786.tif 000035